(57)【要約】【課題】中小地震に対して低い減衰係数で減衰力を発揮し、大地震に対しては高い減衰係数で減衰力を発揮可能なダンパの提供である。【解決手段】本発明のダンパＤは、ピストン２の中立位置からの変位が予め設定された変位量以上の変位となると蓋部材３が伸側室Ｒ１と圧側室Ｒ２を連通する通路Ｂを閉塞する。よって、ダンパＤは、中小規模の地震の揺れに対しては、蓋部材３によって通路Ｂが閉塞されず減衰係数が低いままに維持され、小さい減衰力を発揮し、大規模の地震の揺れに対しては、蓋部材３によって通路Ｂが閉塞されて、減衰係数が高くなって、大きな減衰力を発揮する。【選択図】図１
2017026095.tif 000002
【特許請求の範囲】
【請求項１】
シリンダと、
前記シリンダ内に摺動自在に挿入されて前記シリンダ内を伸側室と圧側室とに区画するピストンと、
前記ピストンに設けられて前記伸側室と前記圧側室とを連通する通路と、
前記ピストンが中立位置から予め設定された変位量以上変位すると前記通路を閉塞する蓋部材と
を備えたことを特徴とするダンパ。
【請求項２】
前記蓋部材は、
前記圧側室内に配置されて前記ピストンに当接すると前記通路の一方の出口端を閉塞する第一蓋部と、
前記伸側室内に配置されて前記ピストンに当接すると前記通路の他方の出口端を閉塞する第二蓋部と
を備えたことを特徴とする請求項１に記載のダンパ。
【請求項３】
前記蓋部材は、
先端に前記第一蓋部が設けられて前記通路内に挿入されるとともに前記シリンダの外へ突出する第一切換ロッドと、
筒状であって外周に前記第二蓋部が設けられるとともに、内周に前記第一切換ロッドが摺動自在に挿入されるとともに前記シリンダの外へ突出する第二切換ロッドとを有する
ことを特徴とする請求項２に記載のダンパ。
【請求項４】
前記シリンダに連結されて、前記第一蓋部と前記第二蓋部を前記ピストンから前記変位量だけ離間する位置に位置決めして、前記第一切換ロッドおよび前記第二切換ロッドの前記シリンダから抜け出る方向への移動を妨げる位置決め装置を備えた
ことを特徴とする請求項３に記載のダンパ。
【請求項５】
前記蓋部材が前記通路を閉塞すると、前記通路を閉塞する位置で当該蓋部材を固定するロック装置を備えた
ことを特徴とする請求項１から４のいずれか一項に記載のダンパ。
【請求項６】
前記ロック装置は、前記第一切換ロッドに設けた溝部と、前記第二切換ロッドに設けた孔と、前記溝部および前記孔にそれぞれ侵入可能なプラグとを有し、
前記溝部と前記孔は、最深部から周方向で徐々に浅くなる構造を有する
ことを特徴とする請求項３または請求項４、請求項３または４に従属する請求項５に記載のダンパ。
【請求項７】
前記シリンダ内に移動自在に挿入されるピストンロッドを備え。
前記ピストンは、前記ピストンロッドに周方向に回転自在に連結される
ことを特徴とする請求項１から６のいずれか一項に記載のダンパ。
【発明の詳細な説明】
【技術分野】
【０００１】
この発明は、ダンパに関する。
【背景技術】
【０００２】
免震装置は、地盤と構造物との間に介装されるボールアイソレータやゴムといった支持装置を備え、構造物を地盤に対して変位可能に支持しており、地震動の構造物への伝達を絶縁するようになっている。免震装置には、上記のような支持装置の他に、地盤と構造物との間に介装されるダンパを備える場合もあり、構造物の振動をダンパが発生する減衰力で減衰させて構造物の振動を抑制するようになっている。
【０００３】
このようなダンパにあっては、ピストン速度に応じて減衰係数が変化するバルブを搭載しており、ピストン速度が速くなると減衰係数が小さくなって、減衰力過多となるのを防止している（たとえば、特許文献１参照）。
【先行技術文献】
【特許文献】
【０００４】
【特許文献１】特開２０１１−１６３３８０号公報
【発明の概要】
【発明が解決しようとする課題】
【０００５】
免震装置は、地震が発生した場合にダンパの減衰力が小さければ小さいほど、地盤の振動が構造物へ伝達しにくくなり、高い振動絶縁性を確保できるので免震効果が高くなる。しかしながら、ダンパの減衰力が小さいと大きな振動が入力された場合に構造物の移動を抑制できずに支持装置から構造物が脱落してしまう可能性があり、特に、狭小地に建てられた高層建築物等では振幅が大きくなると隣接地の建築物と干渉する恐れがある。
【０００６】
よって、ダンパの減衰力を小さくするのは難しく、大地震に備えてダンパの減衰係数をある程度高く設定しておかねばならず、そうした場合には中小規模の地震や風によって建物が揺れる場合にダンパの減衰力が効きすぎて、免震装置の効果を減殺してしまう。
【０００７】
そこで、本発明は上記問題を解決するために創案されたものであって、その目的とするところは、中小地震に対して低い減衰係数で小さな減衰力を発揮し、大地震に対しては高い減衰係数で大きな減衰力を発揮可能なダンパの提供である。
【課題を解決するための手段】
【０００８】
上記した目的を達成するために、本発明のダンパは、ピストンの中立位置からの変位が予め設定される変位量以上の変位となると蓋部材が伸側室と圧側室を連通する通路を閉塞する。よって、ダンパは、中小規模の地震の揺れに対しては、蓋部材によって通路が閉塞されず減衰係数が低いままに維持され、小さい減衰力を発揮し、大規模の地震の揺れに対しては、蓋部材によって通路が閉塞されて、減衰係数が高くなって、大きな減衰力を発揮する。したがって、本発明のダンパでは、小振幅時には減衰係数を低い状態に維持でき、中小規模の地震の揺れに対しては小さい減衰力しか発揮しないので、振動絶縁性を阻害せず、高い免震効果が得られる。
【０００９】
請求項２のダンパは、蓋部材としてピストンの圧側室内に通路の一方の出口端を閉塞する第一蓋部と、ピストンの伸側室内に通路の他方の出口端を閉塞する第二蓋部を備えている。よって、ピストンが中立位置から前記変位量以上伸長しても、収縮しても、減衰係数を高くできる。このように、ダンパが伸縮両側で通路を閉塞できるので、大規模地震の際には、いち早く減衰係数を高くして大きな減衰力を発揮して、構造物の振動を抑制して大きく振幅させずに済む。
【００１０】
請求項３のダンパでは、蓋部材が先端に第一蓋部が設けられて通路内に挿入されるとともにシリンダ外へ突出する第一切換ロッドと、筒状であって外周に第二蓋部が設けられるとともに、内周に第一切換ロッドが摺動自在に挿入されるとともにシリンダ外へ突出する第二切換ロッドとを備えている。このようにダンパを構成すると、第二蓋部がピストンに固定されても、第一蓋部を備える第一切換ロッドは、第二切換ロッドに対して軸方向に移動できる。よって、第二蓋部がピストンに固定されても、第一蓋部がピストンに対して離間した位置に固定されないので、シリンダの全長を短くでき、重量も軽量化できる。
【００１１】
また、請求項４のダンパにあっては、第一蓋部と第二蓋部をピストンから前述の変位量だけ離間する位置に位置決めして、第一切換ロッドおよび第二切換ロッドのシリンダから抜け出る方向への移動を妨げる位置決め装置を備えている。ダンパの伸縮や液温上昇に伴って、シリンダ内の圧力により蓋部材をシリンダから押し出そうとする力が作用しても、第一蓋部と第二蓋部をピストンの中立位置から前述の変位量だけ離間した位置にとどめておく。よって、ピストンが中立位置から前述の変位量以上変位すると確実に通路を閉塞できる。
【００１２】
さらに、請求項５のダンパにあっては、蓋部材が通路を閉塞すると、通路を閉塞する位置で蓋部材を固定するロック装置を備えている。蓋部材は、通路を閉塞したままピストンとともにシリンダ内で変位するため、ロック装置が解除されるまでは、減衰係数を高くしたまま維持される。よって、請求項５のダンパにあっては、大規模地震の揺れに対しては減衰係数を高くして大きな減衰力を発揮する状態を継続し、地震が収まるまで構造物の振動を効果的に抑制できる。
【００１３】
また、請求項６のダンパにあっては、シリンダ内に移動自在に挿入されるピストンロッドを備え、ピストンがピストンロッドに周方向に回転自在に連結されている。よって、ダンパの取付の際にピストンロッドがシリンダに対して回ってしまっても、蓋部材に無理な横力が作用せずに済む。
【発明の効果】
【００１４】
よって、本発明のダンパによれば、中小地震に対して低い減衰係数で減衰力を発揮し、大地震に対しては高い減衰係数で減衰力を発揮できる。
【図面の簡単な説明】
【００１５】
【図１】一実施の形態におけるダンパの概略断面図である。
【図２】一実施の形態におけるダンパを免震装置に適用した図である。
【図３】第一切換ロッドの溝部における断面図である。
【図４】第二切換ロッドの孔における断面図である。
【発明を実施するための形態】
【００１６】
以下に、図示した実施の形態に基づいて、この発明を説明する。一実施の形態におけるダンパＤは、図１に示すように、シリンダ１と、シリンダ１内に摺動自在に挿入されてシリンダ１内を伸側室Ｒ１と圧側室Ｒ２とに区画するピストン２と、ピストン２に設けられて伸側室Ｒ１と圧側室Ｒ２とを連通する通路Ｂと、ピストン２が中立位置から予め設定された変位量以上変位すると通路Ｂを閉塞する蓋部材３とを備えて構成されている。
【００１７】
また、ダンパＤは、上記構成の他、シリンダ１内に移動自在に挿入されてピストン２に連結されるピストンロッド４と、ピストン２に設けられて通路Ｂに並列されて伸側室Ｒ１と圧側室Ｒ２とを連通する伸側減衰通路５および圧側減衰通路６と、伸側減衰通路５の途中に設けられて伸側室Ｒ１から圧側室Ｒ２へ向けて通過する液体の流れに抵抗を与える伸側減衰バルブ７と、圧側減衰通路６の途中に設けられて圧側室Ｒ２から伸側室Ｒ１へ向けて通過する液体の流れに抵抗を与える圧側減衰バルブ８と、圧側室Ｒ２に連通されるリザーバＲと、圧側室Ｒ２からリザーバＲへ向けて通過する液体の流れに抵抗を与えるベースバルブ９と、リザーバＲから圧側室Ｒ２へ向けて通過する液体の流れのみを許容する吸込通路１０とを備えている。
【００１８】
また、上記伸側室Ｒ１と圧側室Ｒ２には、液体として、たとえば、作動油が充填されるとともに、リザーバＲには、作動油のほかに気体が充填されている。液体は、作動油以外にも、水や水溶液なども使用することも可能である。なお、リザーバＲ内は、特に、気体を圧縮して充填することによって加圧状態とする必要は無いが、加圧状態としてもよい。
【００１９】
このダンパＤは、免震装置に適しており、図２に示すように、たとえば、地盤Ｇと構造物Ｓとの間に積層ゴムで構成された支持部材Ｆとともに介装されて免震装置に組み込まれて使用されるが、ダンパＤの用途はこれに限定されるものではない。なお、支持部材Ｆは、積層ゴムのほか、ボールアイソレータ等といった構造物Ｓの水平方向の移動を許容できるものを採用できる。
【００２０】
以下、各部について説明する。シリンダ１は筒状であって、その図１中右端はバルブケース１１によって閉塞され、図１中左端には環状のロッドガイド１２が取り付けられている。また、上記ロッドガイド１２の内周には、シリンダ１内に移動自在に挿入されるピストンロッド４が摺動自在に挿入されている。このピストンロッド４は、本実施の形態では、一端をシリンダ１内に摺動自在に挿入してピストン２に連結してあり、他端をシリンダ１外へ突出させており、シリンダ１に対して移動自在とされている。なお、ピストンロッド４は、この場合、伸側室Ｒ１のみを貫通して、ダンパＤをいわゆる片ロッド型のダンパとしているが、伸側室Ｒ１および圧側室Ｒ２の双方を貫通してシリンダ１から両端がシリンダ１外へ突出するいわゆる両ロッド型のダンパとしてもよい。なお、ピストン２は、ボルト５０によって、ピストンロッド４に対して回転可能に連結されている。
【００２１】
そして、シリンダ１は、外筒１３内に収容されており、シリンダ１と外筒１３との間には、リザーバＲが形成されている。また、外筒１３は、この場合、有底筒状とされていて、開口端は、上述のロッドガイド１２が取り付けられて閉塞されている。さらに、外筒１３の底部とシリンダ１との間に前記したバルブケース１１が挟持されており、外筒１３内にシリンダ１及びバルブケース１１が固定されている。
【００２２】
ピストンロッド４の図１中左端である他端と、外筒１３の底部には、このダンパＤを構造物と地盤との間の設置箇所へ取り付けできるようにブラケット１４，１５が設けられている。
【００２３】
ロッドガイド１２には、軸方向に貫通してダンパＤの外方からシリンダ１内に通じる孔１２ａが設けられており、この孔１２ａには、蓋部材３が挿通されている。また、孔１２ａの内周には、蓋部材３の外周に摺接する環状のシール１２ｂが設けられており、シリンダ１内からの孔１２ａを介しての液体の漏洩が防止されている。
【００２４】
つづいて、ピストン２は、前述の通り、シリンダ１内に摺動自在に挿入されており、シリンダ１内を伸側室Ｒ１と圧側室Ｒ２とに区画しており、伸側室Ｒ１と圧側室Ｒ２とを連通する通路Ｂ、伸側減衰通路５および圧側減衰通路６を並列に備えている。伸側減衰通路５の途中には、伸側室Ｒ１から圧側室Ｒ２へ向けて通過する液体の流れに抵抗を与えるとともに逆向きの液体の流れを阻止する伸側減衰バルブ７が設けられている。また、圧側減衰通路６の途中には、圧側室Ｒ２から伸側室Ｒ１へ向けて通過する液体の流れに抵抗を与えるとともに逆向きの液体の流れを阻止する圧側減衰バルブ８が設けられている。また、バルブケース１１には、ベースバルブ９と吸込通路１０とが設けられており、圧側室Ｒ２とリザーバＲとで液体が行き来できるようになっている。
【００２５】
さらに、ピストン２には、通路Ｂの伸側出口端Ｂ１および圧側出口端Ｂ２の近傍に側方から通路Ｂに直交する方向に設けた孔２ａ，２ｂが設けられている。この孔２ａ内には、プラグ１６が摺動自在に挿入されるとともに、プラグ１６の背面側にプラグ１６を通路Ｂ側へ突出するように附勢するばね１７が挿入されている。さらに、孔２ｂ内には、プラグ１８が摺動自在に挿入されるとともに、プラグ１６の背面側にプラグ１８を通路Ｂ側へ突出するように附勢するばね１９が挿入されている。
【００２６】
また、ピストン２は、この場合、シリンダ１に対して中立位置に配置されると、この中立位置から伸長側にも収縮側にも同じストローク量移動可能となっており、前記中立位置はピストン２のストローク中心に設定されている。なお、中立位置の設定に関し、ストローク中心から伸長側或いは収縮側へ偏った位置に設定するのも可能である。
【００２７】
蓋部材３は、本例では、圧側室Ｒ２内に配置されてピストン２に当接すると通路Ｂの一方の出口端である圧側出口端Ｂ２を閉塞する第一蓋部２１を備えた第一切換ロッド２０と、伸側室Ｒ１内に配置されて前記ピストンに当接すると前記通路の他方の出口端である伸側出口端Ｂ１を閉塞する第二蓋部３１を備えた第二切換ロッド３０とを備えている。
【００２８】
第一切換ロッド２０は、円柱状であってロッドガイド１２の孔１２ａと通路Ｂ内に挿通されて基端側がシリンダ１外へ突出する軸部２２と、軸部２２の先端に設けたフランジ状の第一蓋部２１と、軸部２２の基端に設けたフランジ状のストッパ２３と、軸部２２の側方であって第一蓋部２１の近傍に設けた溝部２４とを備えている。溝部２４は、軸部２２の一部を残して形成されており、最深部から徐々に浅くなる構造となっていて、本例では、図３に示すように、軸部２２の中実部分の断面が六角形の連続する四辺で切り取った形状となっている。第一蓋部２１は、軸部２２に設けたフランジ２１ａと、フランジ２１ａの図１中左端に積層される環状のパッキン２１ｂとで構成されている。また、第一切換ロッド２０の軸部２２は、外径が通路Ｂよりも小さく、通路Ｂとの間に環状隙間を形成できるようになっている。
【００２９】
第二切換ロッド３０は、円筒状であってロッドガイド１２の孔１２ａと通路Ｂ内に挿通されて基端側がシリンダ１外へ突出する軸部３２と、軸部３２の外周に設けたフランジ状の第二蓋部３１と、軸部３２の第二蓋部３１よりも先端側の側方であって第二蓋部３１の近傍に設けた孔３３とを備えている。第二蓋部３１は、軸部３２に設けたフランジ３１ａと、フランジ３１ａの図１中右端に積層される環状のパッキン３１ｂとで構成されている。第二切換ロッド３０における軸部３２の外周は孔１２ａの内周に摺接しており、軸部３２の先端は、面取りされて先端が先細りするテーパ状の傾斜面３２ａが形成されている。
【００３０】
そして、この第二切換ロッド３０内には、第一切換ロッド２０の軸部２２が摺動自在に挿入されており、第二切換ロッド３０は、第一切換ロッド２０に対して軸方向移動可能となっている。第二切換ロッド３０は、ストッパ２３によって、第一切換ロッド２０から抜け止めされており、ストッパ２３に当接した状態では、第一蓋部２１と第二蓋部３１がピストン２の軸方向長さよりも長い間隔Ｌを空けてピストン２を挟むように配置される。よって、第一蓋部２１および第二蓋部３１が通路Ｂを閉塞しない状態では、通路Ｂを介して伸側室Ｒ１と圧側室Ｒ２とが連通されるようになっている。
【００３１】
また、シリンダ１にロッドガイド１２側端である図１中左端の側方には、第一切換ロッド２０および第二切換ロッド３０を位置決めする位置決め装置４０が装着されている。この位置決め装置４０は、ロッドガイド１２に着脱可能なプレート４１と、プレート４１の先端からピストンロッド４側へ伸びて第一切換ロッド２０のストッパ２３の図１中左端に当接可能な当接部４２とを備えている。
【００３２】
まず、前述のように構成された蓋部材３を、第一切換ロッド２０のストッパ２３に第二切換ロッド３０の軸部３２の図１中左端を当接させた状態として、位置決め装置４０の当接部４２にストッパ２３の図１中左端を当接させる。さらに、ピストン２を前述の中立位置に配置すると、第一蓋部２１および第二蓋部３１は、ピストン２との間にそれぞれ間隔Ｌ１を空けて配置される。
【００３３】
よって、ピストン２が中立位置にある状態からダンパＤが伸長して、ピストン２が図１中左方へ間隔Ｌ１に相当する距離を移動すると、第二蓋部３１がピストン２に当接して通路Ｂの伸側出口端Ｂ１を塞ぐようになる。このように第二蓋部３１がピストン２の伸側室Ｒ１側面に当接するとパッキン３１ｂがピストン２に密着して伸側出口端Ｂ１を密に閉塞するとともに、軸部３２の先端が通路Ｂ内に侵入する。第二蓋部３１がピストン２から離間していると、孔２ａから通路Ｂに突出するプラグ１６は、第一切換ロッド２０の軸部２２の側面に当接している。しかしながら、軸部３２が通路Ｂ内に侵入すると、軸部３２の通路Ｂへの侵入が進むにしたがい、プラグ１６が傾斜面３２ａに乗り上げて孔２ａ内に押し込まれる。第二蓋部３１がピストン２に当接すると、軸部３２の孔３３がプラグ１６に対向して、プラグ１６がばね１７の附勢によって孔３３内に侵入し、第二切換ロッド３０がピストン２に固定される。このように、第二切換ロッド３０がピストン２に固定されると、第二蓋部３１のパッキン３１ｂがピストン２の伸側室Ｒ１側面に密着して通路Ｂを閉塞した状態に維持される。なお、フランジ３１ａのピストン２への当接にて通路Ｂを閉塞できれば、パッキン３１ｂを廃止してもよい。
【００３４】
第二切換ロッド３０の第二蓋部３１がピストン２に当接して、さらに、ピストン２が図１中左方へ移動して、第二切換ロッド３０から荷重を受けると位置決め装置４０のプレート４１がロッドガイド１２から脱落する。これにより、第二切換ロッド３０は、ピストン２とともに自由に軸方向へ移動可能となる。
【００３５】
よって、ピストン２が中立位置から予め設定されている間隔Ｌ１である変位量以上、伸長側に変位すると、通路Ｂが閉塞されて、ダンパＤの伸長の際に伸側室Ｒ１から圧側室Ｒ２へ向かう液体は、通路Ｂを通過できず、伸側減衰通路５のみを通過するようになる。これに対して、ピストン２が中立位置から予め設定されている間隔Ｌ１である変位量未満で伸長側に変位する際には、通路Ｂは閉塞されず、ダンパＤの伸長の際に伸側室Ｒ１から圧側室Ｒ２へ向かう液体は、伸側減衰通路５のみならず通路Ｂをも通過する。また、ダンパＤの伸長の際には、容積が拡大する圧側室Ｒ２内に、ピストンロッド３がシリンダ１から退出する体積分の液体が吸込通路１０を介してリザーバＲから供給される。
【００３６】
以上から、ピストン２が中立位置から伸長方向への変位が所定の変位量（間隔Ｌ１）未満の範囲であると、伸側減衰通路５の他、通路Ｂによっても伸側室Ｒ１と圧側室Ｒ２を連通する状態となるので、ダンパＤの減衰係数は低くなる。他方、ピストン２が中立位置から伸長方向への変位が所定の変位量（間隔Ｌ１）以上となると、通路Ｂが閉塞されて、液体は、伸側減衰通路５のみを介して伸側室Ｒ１から圧側室Ｒ２へ移動するので、ダンパＤの減衰係数は高くなる。
【００３７】
ピストン２が中立位置にある状態からダンパＤが収縮して、ピストン２が図１中右方へ間隔Ｌ１に相当する距離を移動すると、第一蓋部２１がピストン２に当接して通路Ｂの圧側出口端Ｂ２を塞ぐようになる。このように第一蓋部２１がピストン２の圧側室Ｒ２側面に当接するとパッキン２１ｂがピストン２に密着して圧側出口端Ｂ２を密に閉塞する。孔２ｂから通路Ｂに突出するプラグ１８は、第一切換ロッド２０の軸部２２の側面に当接しているが、第一蓋部２１がピストン２に当接すると、軸部２２の溝部２４がプラグ１８に対向して、プラグ１８がばね１９の附勢によって溝部２４内に侵入する。すると、第一切換ロッド２０がピストン２に固定される。このように、第一切換ロッド２０がピストン２に固定されると、第一蓋部２１のパッキン２１ｂがピストン２の圧側室Ｒ２側面に密着して通路Ｂを閉塞した状態に維持される。なお、フランジ２１ａのピストン２への当接にて通路Ｂを閉塞できれば、パッキン２１ｂを廃止してもよい。
【００３８】
よって、ピストン２が中立位置から予め設定されている間隔Ｌ１である変位量以上、収縮側に変位すると、通路Ｂが閉塞されて、ダンパＤの収縮の際に圧側室Ｒ２から伸側室Ｒ１へ向かう液体は、通路Ｂを通過できず、圧側減衰通路６のみを通過するようになる。これに対して、ピストン２が中立位置から予め設定されている間隔Ｌ１である変位量未満で収縮側に変位する際には、通路Ｂは閉塞されず、ダンパＤの収縮の際に圧側室Ｒ２から伸側室Ｒ１へ向かう液体は、圧側減衰通路６のみならず通路Ｂをも通過する。また、ダンパＤの収縮の際には、ピストンロッド３がシリンダ１内へ侵入する体積分の液体がベースバルブ９を介して圧側室Ｒ２からリザーバＲへ排出される。
【００３９】
以上から、ピストン２が中立位置から収縮方向への変位が所定の変位量（間隔Ｌ１）未満の範囲であると、圧側減衰通路６の他、通路Ｂによっても圧側室Ｒ２と伸側室Ｒ１を連通する状態となるので、ダンパＤの減衰係数は低くなる。他方、ピストン２が中立位置から収縮方向への変位が所定の変位量（間隔Ｌ１）以上となると、通路Ｂが閉塞されて、液体は、圧側減衰通路６のみを介して圧側室Ｒ２から伸側室Ｒ１へ移動するので、ダンパＤの減衰係数は高くなる。なお、ピストン２が中立位置から変位して通路Ｂが閉塞されるまでの変位量は、つまり、間隔Ｌ１の設定は、免震対象である構造物Ｓの設置環境や大規模地震の際に構造物Ｓが振動する振幅などから任意に設定できる。
【００４０】
なお、第一切換ロッド２０を回転させると、溝部２４が軸部２２の一部を残して形成され、最深部から周方向で徐々に浅くなる構造となっているので、プラグ１８を溝部２４から無理なく押し出しでき、第一切換ロッド２０がピストン２から離間可能となって固定が解除される。なお、溝部２４が形成される軸部２２の中実部分の形状を軸部２２よりも小径であって軸部２２の中心から偏心する位置に中心を持ち軸部２２に内接する円形としてもよい。このようにしても、溝部２４が軸部２２の一部を残して形成され、最深部から徐々に浅くなる構造となるので、第一切換ロッド２０の回転操作で、溝部２４内に侵入したプラグ１８を容易に溝部２４から押し出して第一切換ロッド２０の固定を解除できる。図４に示すように、孔３３についても周方向で徐々に浅くなるように設計されており、第二切換ロッド３０の回転操作によりプラグ１６が孔３３から押し出され容易に固定解除できる。このように、蓋部材３が通路Ｂを閉塞する位置で固定するロック装置Ｌｏは、第一切換ロッド２０側では、第一切換ロッド２０の溝部２４と、プラグ１８とばね１９とで構成され、第二切換ロッド３０側では、第二切換ロッド３０の孔３３、プラグ１６およびばね１７とで構成され、いずれもロッドガイド１２の左、すなわちダンパＤの外側に突出した切換ロッド２０，３０を回転するだけでロック解除できる。
【００４１】
よって、本発明のダンパＤにあっては、ピストン２の中立位置からの変位が小さくなる中小規模の地震の揺れに対しては、蓋部材３によって通路Ｂが閉塞されず、減衰係数が低いままに維持され、小さい減衰力を発揮する。他方、本発明のダンパＤにあっては、ピストン２の中立位置からの変位が大きく大規模の地震の揺れに対しては、蓋部材３によって通路Ｂが閉塞されて、減衰係数が高くなって、大きな減衰力を発揮する。したがって、本発明のダンパＤによれば、小振幅時には減衰係数を低い状態に維持でき、中小規模の地震の揺れに対しては小さい減衰力しか発揮しないので、振動絶縁性を阻害せず、高い免震効果が得られる。以上より、本発明のダンパＤによれば、中小地震に対して低い減衰係数で減衰力を発揮し、大地震に対しては高い減衰係数で減衰力を発揮し、大きな変位抑制効果が得られる。
【００４２】
また、蓋部材３によってピストン２に設けた通路Ｂの閉塞により、減衰係数を高くするので、シリンダ１外に伸側室Ｒ１と圧側室Ｒ２とを連通する通路を形成してバルブを設置するような複雑な構造の採用に比べると、構造は非常に簡潔である。さらに、電磁弁を用いて減衰係数を変更する構造に比べ、メカニカルに減衰係数を変化させられるので、ロバスト性が高い。
【００４３】
本例のダンパＤは、蓋部材３がシリンダ１の圧側室Ｒ２内に通路Ｂの圧側出口端Ｂ２を閉塞する第一蓋部２１と、シリンダ１の伸側室Ｒ１内に通路Ｂの伸側出口端Ｂ１を閉塞する第二蓋部３１を備えている。よって、ピストン２が中立位置から所定の変位量以上伸長しても、収縮しても、減衰係数を高くできる。よって、ダンパＤが伸縮両側で通路Ｂを閉塞できるので、大規模地震の際には、いち早く減衰係数を高くして大きな減衰力を発揮して、構造物Ｓの振動を抑制して大きく振幅させずに済む。
【００４４】
なお、第一切換ロッド２０と第二切換ロッド３０を一体化する構成の採用も可能である。この場合、伸側室Ｒ１側の第二蓋部３１がピストン２に固定されると、第一蓋部２１がピストン２から間隔Ｌ１の二倍の長さ離間した位置に固定される。この状態でピストン２がフルストロークしても、第一蓋部２１がシリンダ１の図１中右端に設けたバルブケース１１に干渉しないようにしなければならず、シリンダ１の全長を長くする必要がある。これに対して、本例におけるダンパＤでは、蓋部材３が先端に第一蓋部２１が設けられて通路Ｂ内に挿入されるとともにシリンダ１外へ突出する第一切換ロッド２０と、筒状であって外周に第二蓋部３１が設けられるとともに、内周に第一切換ロッド２０が摺動自在に挿入されるとともにシリンダ１外へ突出する第二切換ロッド３０とを備えている。このようにダンパＤを構成すると、第二蓋部３１がピストン２に固定されても、第一蓋部２１を備える第一切換ロッド２０は、第二切換ロッド３０に対して軸方向に移動できる。よって、第二蓋部３１がピストン２に固定されても、第一蓋部２１がピストン２に対して間隔Ｌ１の二倍の長さ離間した位置に固定されないので、シリンダ１の全長を長くしなくとも第一蓋部２１とバルブケース１１の干渉を回避できる。よって、このダンパＤによれば、シリンダ１の全長を短くできる利点があり、重量も軽量化できる。
【００４５】
また、本例のダンパＤにあっては、第一蓋部２１と第二蓋部３１をピストン２から所定の変位量だけ離間する位置に位置決めして、第一切換ロッド２０および第二切換ロッド３０のシリンダ１から抜け出る方向への移動を妨げる位置決め装置４０を備えている。ダンパＤの伸縮や液温上昇に伴って、シリンダ１内の圧力により第一切換ロッド２０および第二切換ロッド３０をシリンダ１から押し出そうとする力が作用する場合がある。このような場合にあっても、位置決め装置４０は、第一蓋部２１と第二蓋部３１をピストン１の中立位置から所定の変位量だけ離間した位置にとどめておくので、ピストン２が中立位置から所定の変位量以上変位すると確実に通路Ｂを閉塞できる。
【００４６】
位置決め装置４０の構成は、前述した構成に限られない。たとえば、ロッドガイド１２に固定的に設けたプレート４１に対して当接部４２をヒンジ結合しておく。そして、シリンダ１内に圧力による第一切換ロッド２０および第二切換ロッド３０をシリンダ１から押し出そうとする力では当接部４２が摩擦力によってプレート４０に対して倒れないようにしておく。そして、ピストン２に第一切換ロッド２０或いは第二切換ロッド３０が連結され、こられを介してピストン２から荷重を受ける際に、当接部４２が倒れるように前記摩擦力を設定しておけばよい。また、前述のように、プレート４１がロッドガイド１２から脱落するようにする場合、シリンダ１側にプレート４１を把持する金具を設けておけばよい。ピストン２に第一切換ロッド２０或いは第二切換ロッド３０が連結され、こられを介してピストン２から荷重を受ける際に、プレート４１が金具から外れてロッドガイド１２から離脱するようにすればよい。また、プレート４１がロッドガイド１２に固定的に設けられる場合、ピストン２に第一切換ロッド２０或いは第二切換ロッド３０が連結され、これらを介してピストン２から荷重を受ける際に、プレート４１或いは当接部４２が破断するようにしてもよい。
【００４７】
さらに、本例のダンパＤにあっては、蓋部材３が通路Ｂを閉塞すると、通路Ｂを閉塞する位置で蓋部材３を固定するロック装置Ｌｏを備えている。蓋部材３は、通路Ｂを閉塞したままピストン２とともにシリンダ１内で変位するため、ロック装置Ｌｏが解除されるまでは、減衰係数を高くしたまま維持される。よって、本例のダンパＤにあっては、大規模地震の揺れに対しては減衰係数を高くして大きな減衰力を発揮する状態を継続し、地震が収まるまで構造物Ｓの振動を効果的に抑制できる。なお、本例では、ロック装置Ｌｏは、ピストン２に設けたプラグ１６，１８、ばね１７，１９および第一切換ロッド２０に設けた溝部２４、第二切換ロッド３０に設けた孔３３で構成されているが、これに限定されるものではない。
【００４８】
また、本例のダンパＤにあっては、シリンダ１内に移動自在に挿入されるピストンロッド４を備え、ピストン２がピストンロッド４に周方向に回転自在に連結されている。よって、ダンパＤの地盤Ｇおよび構造物Ｓへの取付の際にピストンロッド４がシリンダ１に対して回ってしまっても、第一切換ロッド２０および第二切換ロッド３０に無理な横力が作用せずに済む。
【００４９】
以上で、本発明の実施の形態についての説明を終えるが、本発明の範囲は図示されまたは説明された詳細そのものには限定されないことは勿論である。
【符号の説明】
【００５０】
１・・・シリンダ、２・・・ピストン、３・・・蓋部材、４・・・ピストンロッド、２０・・・第一切換ロッド、２１・・・第一蓋部、３０・・・第二切換ロッド、３１・・・第二蓋部、４０・・・位置決め装置、Ｌｏ・・・ロック装置、Ｂ・・・通路、Ｄ・・・ダンパ、Ｒ１・・・伸側室、Ｒ２・・・圧側室
【図１】
2017026095.tif 000003
【図２】
2017026095.tif 000004
【図３】
2017026095.tif 000005
【図４】
2017026095.tif 000006